Podtech/llm-jp-corpus-v4-ja_patent huggingface dataset:
(57)【要約】【課題】  乳児がおしゃぶり、歯固め、（歯ブラシ）を使うときは一人で使うことが多いが、乳児期は一人で遊ぶより、家族でふれあい安心感を育てる時期である。また、毎日の成長を周りにいる者が実感したい時期である。本発明は、以上の問題点を解決するためになされたものである。【解決手段】  乳児がおしゃぶり・歯固め・（歯ブラシ）で遊ぶ時、指サック型のおしゃぶり・歯固め・歯ブラシなので、そばにいる父母・祖父母・兄姉などが装着し、一緒に遊ぶことができる。また、吸う力、噛む力の変化がわかり、成長を実感できる。  本発明は指サックにおしゃぶり・歯固め・歯ブラシを付ける技術でふれあいを楽しめ、成長を実感できる乳児用玩具を提供する。  指サックにおしゃぶり・歯固め・歯ブラシをつけ、周りにいる者と触れ合いながら遊べる玩具とする。【選択図】図１
2011030988.tif 000002
【特許請求の範囲】
【請求項１】
指サックの一部におしゃぶり・歯固め・歯ブラシを付けた乳児用玩具
【発明の詳細な説明】
【技術分野】
【０００１】  本発明は指サックであって、その側面・上面の一部におしゃぶり・歯固め・歯ブラシを付けた乳児用玩具に関するものである。
【背景技術】
【０００２】  従来、おしゃぶり・歯固め・歯ブラシは、乳児が一人で玩具としてとして使うものであった。
【発明の開示】
【発明が解決しようとする課題】
【０００３】  乳児期は一人で遊ぶより、家族でふれあい安心感を育てる時期である。また、毎日の成長を周りにいる者が実感したい時期である。
本発明は、以上の問題点を解決するためになされたものである。
【課題を解決するための手段】
【０００４】  指サックの側面・上面の一部におしゃぶり・歯固め・歯ブラシを付け、周りの者が指に装着し、使用する。
以上の構成よりなるおしゃぶり・歯固め・歯ブラシ。
【発明の効果】
【０００５】  身近なものが指につけて使うので、乳児に安心感がある。吸う力噛む力などの日々の変化を感じることで成長を実感できる。歯ブラシも指についているので細かいところまで届き、きれいに磨くことができる。
【発明を実施するための最良の形態】
【０００６】以下本発明の実施の形態を説明する。
（イ）指サック型おしゃぶりー指サックの先を切ったもの（１）におしゃぶり（２）を      つける。
（ロ）指サック型歯固めー指サック（３）の素材を歯固めに適した硬さの素材（４）に      する。
（ハ）指サック型歯ブラシー指サック（５）の表面に突起（６）をつけ歯ブラシとする      物、又は指サックの先端（７）に乳児用歯ブラシ（８）を付けたもの
（二）指サック型おしゃぶリ付き歯固めー（ロ）の歯固めの先端（９）に、おしゃぶり      （１０）を付けたもの
（ホ）指サック型歯ブラシ付き歯固めー（ロ）の歯固めの先端（１１）に歯ブラシ（１      ２）を付けたもの
本発明は以上のような構造である。
本発明を使用するときは、指に装着して使う。
【図面の簡単な説明】
【０００７】
【図１】本発明の正面図
【図２】本発明の使用状態を示す斜視図
【符号の説明】
【０００８】（１）先のない指サック  （２）おしゃぶり  （３）指サック  （４）素材
（５）指サック  （６）突起  （７）指サックの先端  （８）乳児用歯ブラシ
（９）歯固め指サックの先端  （１０）おしゃぶり  （１１）歯固め指サック
（１２）歯ブラシ
【図１】
2011030988.tif 000003
【図２】
2011030988.tif 000004
(57)【要約】【課題】指輪表面が滑らかに回る指輪を提供する。【解決手段】指輪内部にベアリングを内蔵し、回転させることを特徴とする。【選択図】図１
2011031000.tif 000002
【特許請求の範囲】
【請求項１】
指輪内部にベアリングを内蔵した回転する指輪。
【発明の詳細な説明】
【技術分野】
【０００１】  本発明は、指輪にベアリングを内蔵した回転する指輪に関するものである。
【背景技術】
【０００２】  従来の指輪は、指に差し込んで観賞を楽しみ、心を癒したりするものであった。
【先行技術文献】
【特許文献】
【０００３】
【発明の概要】
【発明が解決しようとする課題】
【０００４】  本発明は、指輪としての観賞の楽しみや癒し効果は少しも損なうことなく、指輪表面を回して楽しむという遊び心を取り入れた、おしゃれな指輪にしようとするものである。
【課題を解決するための手段】
【０００５】  指輪１の内部にベアリング２を内蔵し、こすって回せるように構成した。
【発明の効果】
【０００６】  指輪の表面を軽くこするとベアリングの働きにより指輪が回転し、指輪全体の造形、装飾が気軽に観賞することができる。見て、触って、変化（回転）させる。これらの行為が脳をほどよく刺激して、とても楽しく幸せな気分へと導いてくれる。
これにより、癒やし、楽しみも一層高まり、とてもおしゃれで回して遊べる指輪となった。
【発明を実施するための最良の形態】
【０００７】  指に差し込んだ指輪１の表面を、指で軽くこすって回すだけである。
【図面の簡単な説明】
【０００８】
【図１】本発明の正面図である。
【図２】図１の平面図である。
【符号の説明】
【０００９】  １  指輪
２  ベアリング
【図１】
2011031000.tif 000003
【図２】
2011031000.tif 000004
(57)【要約】      （修正有）【課題】濡れた長い髪を快適に早く乾かす為、頭部の髪を縛る部分と、垂らした髪をらせん状に巻く部分を合わせたヘアドライタオルを提供する。【解決手段】首から頭頂部へ回して髪を縛る部分のタオル生地と、垂らした髪をらせん状に巻く部分のタオル生地を合わせる事により、濡れた髪が空気に触れる部分を作り、垂らした髪はタオル生地に平均して広く接し絞り易くする。【選択図】図１
2011030996.tif 000002
【特許請求の範囲】
【請求項１】
濡れた長い髪を快適に早く乾かす為、頭部の髪を縛る部分と、垂らした髪をらせん状に巻く部分を合わせたヘアドライタオル。
【発明の詳細な説明】
【技術分野】
【０００１】この発明は濡れた長い髪を早く快適に乾かすヘアドライタオルに関する
【背景技術】
【０００２】吸水率の良い生地を使ったり、髪を頭頂部でまとめて包み込む形状のもがある。
【発明の開示】
【発明が解決しようとする課題】
【０００３】これには次のような欠点があった。
Ａ：髪をゴム等でまとめたり、包んでしまうと通気性が悪くなり、髪を早く乾かす上での効率が悪くなる。また蒸れてしまう。
Ｂ：タオルで抑えたり、叩いたりして髪の水分をとっても、髪が長い場合は髪を垂らして置くと、水滴が頭頂部から髪先端に集まってきてポタポタと、肩、背中、胸あたりの服を濡らし不快感を与える。
Ｃ：タオルを首から両胸に回して掛け、濡れた髪をタオル部分に垂らした場合。
首筋と両胸付近のタオル部分が集中して水滴を吸う為、首筋、胸辺りに不快感を与える。
Ｄ：髪の水分がある程度とんだ状態でないと、ドライアーで乾かすのに時間が掛かる、また暑い季節や狭く通気性の悪い場所では大量の汗をかく事になる。
【課題を解決するための手段】
【０００４】首から頭頂部へ回して髪を縛る部分のタオル生地と、垂らした髪をらせん状に巻き易い形状にしたタオル生地を合わせた形状にする。
【発明の効果】
【０００５】首から頭頂部へ回して髪を縛る部分のタオル生地と、垂らした髪をらせん状に巻く部分のタオル生地を合わせた形状により、後頭部の広い部分は空気に触れ、垂らした髪はらせん状に巻く事により、平均的に広く髪とタオル生地が接し絞りやすく、水滴が垂れる事なく早く半乾きの状態にする事が出来る。
【発明を実施するための最良の形態】
【実施例】
【０００６】長い濡れた髪に使用したところ、水滴が垂れず不快感がなく、従来より早く半乾きの状態に出来た。
お下げと言われる髪形の状態に髪がまとめられるので、濡れた髪が邪魔にならずに、他の作業等がし易かった。
【産業上の利用可能性】
【０００７】通気性がよいので早く半乾きの状態にできる。
濡れた髪から水滴が垂れてこないので不快感がない。
ドライアーで髪を乾かす時間が短縮できる。
長い髪が充分半乾きにできるので、半乾きになったところでヘアドライタオルを外せば、それ以降水滴が垂れてくる事なく、不快感なく自然乾燥も出来る。
濡れた髪をしっかりまとめるので髪が邪魔にならず、半乾きになるまで他の作業がし易く、時間が有効に使える。
【図面の簡単な説明】
【図１】本発明の装着図である。
【図２】本発明の平面図である。
【図１】
2011030996.tif 000003
【図２】
2011030996.tif 000004
(57)【要約】      （修正有）【課題】ポーチ等を腰に下げて携帯する方法として、「ベルト通し付きポーチ、ホルダー等着脱用ハンガー」を提供する。【解決手段】ベルト通し付きウエストウエストポーチ、ホルダー等を着脱するための部品１、２と部品３は連結している。ベルト等とズボン等の間に挿入し本体をベルトに下げるための部品４は部品３に連結している。ベルト通し付きウエストウエストポーチ、ホルダー等を部品１、２に着脱するために、及びベルト等に取り付けた本体をベルト等に着脱し、安定を確保するために、部品１、２の適当な位置と、部品３と部品４それぞれの適当な位置に、適当な留め具を取り付ける。【選択図】図１
2011030997.tif 000002
【特許請求の範囲】
【請求項１】
ベルト通し付きウエストポーチ、ホルダー等を部品１・２・３により支持し、支持したウエストポーチ、ホルダー等を部品３と部品４によりベルト等へ簡単に装着し且つ簡単に取り外すことを可能にする「ベルト通し付きポーチ等着脱用ハンガー」。
【請求項２】
部品１と２、部品３、部品４を一体として連結し、部品１と２、部品３、部品４のそれぞれの機能を連係作用させることによって、ベルト通しつきウエストポーチ等を支持し、ベルト等に簡単に取り付け、且つ、ベルト等から簡単に取り外せる等の機能を発揮する「ベルト通し付きポーチ等着脱用ハンガー」。
【請求項３】
部品３は、部品１と２を部品４と連結するための仲立ちをし、部品４と連連係して部品１と２をベルト等に着脱させ、装着状態を安定させ脱落を防止する「ベルト通し付きポーチ等着脱用ハンガー」。
【請求項４】
部品４は、部品３と連携して、部品１と２をベルト等に簡単に着脱させる役割をする。部品４と部品３に取付けた磁石などの留め具の力でより一層の安定した使用感を持たせる機能を発揮する「ベルト通し付きポーチ等着脱用ハンガー」。
【発明の詳細な説明】
【発明が解決しようとする課題】
【０００１】  ポーチ等を腰に下げて携帯する方法としては、ポーチ等のベルト通しにズボンのベルトを通す方法では、着脱に手間取りまた人前での実施は体裁が悪く、ベルトを緩めたときにはベルトが抜け落ちてポーチ等が脱落する危険がある。逆Ｕ字型のフックで下げる方法では脱落の危険があり使用中の安定も良くない。ジョイントホルダーでベルトにぶら下げる方法では、使用中にポーチ等が動揺し不安定であり更には脱落への不安がある。これらの問題を全て解決するための「ベルト通し付きポーチ、ホルダー等着脱用ハンガー」を発明する。
【課題を解決するための手段】
【０００２】  上記の課題を解決するために、請求項１において部品１と２によってポーチやホルダー等を部品３に固定し更に部品３と部品４が連係することによって部品３への装着後の安定と脱落を防止し且つ着脱を容易にする機能を発揮する「ベルト通し付きポーチ、ホルダー等着脱用ハンガー」。
【０００３】  請求項２では、部品３と部品４がベルト通し付きポーチ、ホルダー等を支持する部品１と２の部分を挟んで部品１と２、部品３、部品４のそれぞれの機能を一体として連係作用させることによって部品１と２の支持力を強化し安定させ脱落を防止する「ベルト通し付きポーチ、ホルダー等着脱用ハンガー」。
【０００４】  請求項３では、部品３は部品１・２と部品４とを連係させる仲立ちをしポーチ、ホルダー等の携帯状態を確保し安定させつつ部品４がベルト等に装着し且つ装着状態が安定するための補助的な機能を発揮する「ベルト通し付きポーチ、ホルダー等着脱用ハンガー」。
【０００５】  請求項４では、部品４はこれをベルト等に挿入し挟み込むことにより、部品３と連係して、その形状と取付けた磁石、布チャックその他の留め具の働きによってベルト通し付きポーチ、ホルダー等を支持する部品１・２をベルト等へ装着したポーチ等を携帯することを可能にし安定を確保する「ベルト通し付きポーチ、ホルダー等着脱用ハンガー」。
【発明の効果】
【０００６】  課題において指摘した欠点を全て克服した携帯方法の開発に従事した結果、ズボンなどのベルト等を外さずベルトを締めたままで、ベルト通し付きウエストポーチ、ホルダー等の着脱が極めて容易で衆人の前でも気兼ねすることなく場所を選ばずに着脱でき、何時でも何処でも簡単に取付け位置を変更することもでき、安定した使用感があり、脱落の恐れの無い「ベルト通し付きポーチ、ホルダー等着脱用ハンガー」を発明した。
【０００７】  装着したウエストポーチ、ホルダー等はポーチの動揺を抑えて安定した状態で携帯でき、軽めのウエストポーチ、ホルダー等を携帯する場合にはベルトを使用しないズボンやスカート等にも直接に取付けて手軽に使用することも出来る。
【実施例】
【０００８】（イ）必要な強度を確保するために、部品１と２、３、４に、必要に応じて、芯材を入れる又は材を強化する。【０００９】（ロ）部品１と部品３の対向する適当な位置にそれぞれ留め具を取付ける。【００１０】（ハ）部品３と部品４の対向する適当な位置にそれぞれ磁石などの留め具を取付ける。
【図面の簡単な説明】
【００１１】
【図１】  作品を右斜め前方から見た図である。ポーチは部品２の位置に下がる。ポーチなどのベルト通しを部品１を経て２で止める。ポーチを取付けた２と１を折り曲げて部品３に巻き付けポーチ等を固定する。部品４をベルトとズボン等の間に差し込み、３と４の磁石などの留め具で密着させる。
【図２】  作品を後方斜め横から見た図である。部品１と２を部品３に巻きつけて留めた様子である。１と３がポーチ等を固定する。更に４が１の上にかぶさって３と密着し、１と３を圧着させて密着力を強化しポーチ保持力を安定させる。
【図３】  作品を展開した図である。１、２、３、４は連続して一体となっている。
【符号の説明】
【００１２】  １．ウエストポーチ、ホルダー等のベルト通しに通す一連の部品。１を３の裏側に留める。
２．ウエストポーチ、ホルダー等のベルト通しに通す一連の部品。２にポーチ等を下げる。
３．部品１、２と部品４をつなげる部品。
４．部品１、２と部品３とにつながっており、ベルト等に挿入、または、直接にズボンやスカートに挿入する部品。
【図１】
2011030997.tif 000003
【図２】
2011030997.tif 000004
【図３】
2011030997.tif 000005
(57)【要約】【課題】歯科補綴物を鋳造しようとする時、埋没材の硬化後、鋳造リングをＷＡＸ焼却炉に入れる直前に鋳造リングからリングフォーマーを外してＷＡＸ焼却炉に入れなければならず埋没材が硬化するまで席を離れられない。本発明は鋳造リングに埋没材を流し込むと同時に、埋没材の硬化を待たずにＷＡＸ焼却炉に鋳造リングを入れる事が出来るＷＡＸフォーマー用型枠を提供する。【解決手段】円柱上の本体の中央部に円錐状の凹陥部を設け、この凹陥部の外側に所定の高さのＷＡＸリングフォーマーの内側底部となるＷＡＸリングフォーマー底部を形成し、その外側にＷＡＸリングフォーマーの外側枠となる外側枠形成部を設ける。【選択図】図１
2011030995.tif 000002
【特許請求の範囲】
【請求項１】
円柱状の本体の中央部に円錐状の凹陥部を設け、この凹陥部の外側に所定の高さのＷＡＸリングフォーマーの内側底部となるＷＡＸリングフォーマー底部を形成し、その外側にＷＡＸリングフォーマーの外側となる外側枠形成部を設けたことを特徴とするＷＡＸリングフォーマー用型枠。
【発明の詳細な説明】
【技術分野】
【０００１】  本発明は歯科技工業務のＷＡＸリングフォーマー用型枠に関するものである。
【背景技術】
【０００２】  従来、歯科補綴物を鋳造する際ＷＡＸにて製作した歯科補綴物（ワックスパターン）をゴム製のリングフォーマーに植立していた。
【先行技術文献】
【０００３】
【特許文献１】
【非特許文献１】
【発明の概要】
【発明が解決しようとする課題】
【０００４】  歯科補綴物を製作する工程に於いて歯科補綴物をワックスにて製作し、このワックスパターンをゴムやシリコーン製のリングフォーマーに植立後、鋳造リングにセットし埋没材を流し込み硬化するのを待って鋳造リングよりリングフォーマーを取り外す。埋没材が硬化するまでに３０分から１時間もかかり、フォーマーを取り外すまでの時間を束縛されることになり、作業工程や時間の無駄が生じる。また、歯科医院より提供される患者のかみ合わせの参考にする為のバイトワックス等がそのまま捨てられてしまうと資源の無駄使いとなる。
本発明は以上の問題点を解決する為になされたものである。
【課題を解決するための手段】
【０００５】  円柱状の本体の中央部に円錐状の凹陥部を設け、この凹陥部の外側に所定の高さのリングフォーマー内側底部となるフォーマー底部を形成しその外側にリングフォーマーの外側となる外側枠形成部を設けた。以上の構成よりなるＷＡＸリングフォーマー用型枠。
【発明の効果】
【０００６】  従来、埋没材が硬化するまでリングフォーマーを鋳造リングより外す事ができず、ＷＡＸ焼却炉に入れる事ができなかった。本発明によりリングフォーマーを外す必要が無く、埋没材の硬化を待たずにＷＡＸ焼却炉に入れる事が出来る。
【図面の簡単な説明】
【０００７】
【図１】  本発明の斜視図
【図２】  本発明の中央縦断面図
【発明を実施するための形態】
【０００８】  以下、本発明の実施の形態を説明する。
（イ）ＷＡＸリングフォーマーを作る型枠本体。（１）
（ロ）本体（１）の内部にＷＡＸリングフォーマーの外側枠形成部（３）を設ける。
（ハ）本体（１）の外枠（２）を設ける。
（ニ）ＷＡＸリングフォーマーの内側底部となる部分（４）
（ホ）ＷＡＸリングフォーマーの円錐台となる円錐状の凹陥部（５）となる部分を設ける。
本発明は以上のような構造である。
本発明を使用するときは、歯科医院より提供される患者のかみ合わせの参考にする為のバイトワックスを再利用して溶かし、ＷＡＸリングフォーマーの型枠本体（１）の円錐状の凹陥部（５）、ＷＡＸリングフォーマーの内側底部（４）、ＷＡＸリングフォーマーの外側枠形成部（３）に流し込む。ワックスが硬化した後型枠より取り出す。
【符号の説明】
【０００９】（１）型枠本体、
（２）型枠本体の枠、
（３）ＷＡＸリングフォーマーの外側枠形成部
（４）ＷＡＸリングフォーマーの内側底部となる部分
（５）ＷＡＸリングフォーマーの円錐台となる円錐状の凹陥部。
【図１】
2011030995.tif 000003
【図２】
2011030995.tif 000004
(57)【要約】      （修正有）【課題】お風呂ブーツを、壁に取り付けたケースに入れて保管する、壁掛け式お風呂ブーツ入れを提供する。【解決手段】ケース１の背面２上部に、吸盤取り付け用小穴４を並列に二カ所開けて、そこに吸盤６を取り付けて、壁７に掛けられる様にする、お風呂ブーツのつま先を上にむけて、かかとの方からケースに入れることで、お風呂ブーツの底、あるいは中についた水等がおちてケースの中にたまるので、ブーツは乾いてくる、ケースの正面に数カ所の通気穴５を設ける事でケースの中も乾く、お風呂ブーツも整理できる壁掛け式お風呂ブーツ入れ。【選択図】図２
2011030992.tif 000002
【特許請求の範囲】
【請求項１】
ケースの背面上部に、吸盤取り付け用小穴を並列に二カ所あけて、そこに吸盤を取り付けて、壁に掛けるようにする、お風呂ブーツのつま先を上にむけて、かかとの方からケースに入れることで、お風呂ブーツの底、あるいは中についた水等がおちて、ケースの中にたまるのでブーツは乾いてくる、ケースの正面に数カ所の通気口を、開けることでケースの中も乾き、お風呂ブーツも整理できることを特徴とする、壁掛け式お風呂ブーツ入れ。
【発明の詳細な説明】
【技術分野】
【０００１】本発明は、風呂場ブーツを、壁に取り付けたケースに入れて保管する壁掛け式風呂場ブーツ入れに関するものである
【背景技術】
【０００２】従来、風呂場ブーツは脱衣場の床に置いたまま使用されていた。
従来、風呂場ブーツを脱衣場にバケツ等を置いてその中に入れて使用されていた。
従来、ブーツの足入れに引っ掛けてストックするものがあった。（特許文献１）
【先行技術文献】
【０００３】
【特許文献１】  特開２００２−１５９４１０号公報
【発明の概要】
【発明が解決しようとする課題】
【０００４】  そのために、次のような問題点があった。
（イ）脱衣場の床がぬれたり、乱雑になったりした。
（ロ）バケツを使用するときに、よそに出したりしていた。
（ハ）風呂場に掛けて収納すると、湯気でぬれる。
（ニ）脱衣場に掛けると、ブーツの底、又ブーツの中に入った水で床がぬれる。
本発明は、これらの問題点を解決するためになされたものである。
【課題を解決するための手段】
【０００５】  ケースの背面上部に、吸盤取り付け用小穴を並列に二カ所あけて、そこに吸盤を取り付けて、壁に掛けられる様にする。
お風呂ブーツのつま先を上にむけて、かかとの方からケースにいれることで、お風呂ブーツの底、あるいは中についた水等がおちてケースの中にたまるので、ブーツは乾いてくる。
ケースの正面に数カ所の通気口を設ける事でケースの中も乾く。
お風呂ブーツも整理できる。
以上を特徴とする壁掛け式お風呂ブーツ入れである。
【発明の効果】
【０００６】  お風呂ブーツについた、水等をケースの中で受けるのでブーツは乾き、床が濡れずお風呂ブーツが乱雑にならずに整理できる。
その結果。次の効果がある。
（イ）お風呂に入るとき、お風呂ブーツが整理してあるので、気持ちよくお風呂に入れる。
（ロ）お風呂を掃除するときに、いつもお風呂ブーツが掛けてあるところが同じなのですぐにとれる。
【図面の簡単な説明】
【０００７】
【図１】本発明の斜視図である。
【図２】本発明の使用状態を示す斜視図である
【発明を実施するための形態】
【０００８】  以下、本発明の実施の形態について説明する
（イ）ケース（１）の背面（２）の上部に壁掛用吸盤取り付けの穴（４）を並列に二カ所開け、そこに吸盤（６）を取り付け、壁（７）に取り付ける。
（ロ）ケース（１）の背面（２）を前面（３）より高くする。
（ハ）ケース（１）の前面（３）に数カ所の開口部（５）を開ける。
（ニ）ケース（１）の前面（３）を市販のお風呂ブーツをかかとから入れる時の足入部の半分の高さにする。
本発明は、以上のような構成である。
これを使用するときは、脱衣場から風呂場へ入るドアの脱衣場側の壁の邪魔にならない場所に吸盤にてケースをとりつける。
又場合によっては洗濯機等の横に吸盤で付けても良い。
お風呂ブーツを、かかとの方からケースに出し入れする。
ケースが汚れたら吸盤から外して洗って乾かしてから又取り付ける事により、清潔にお風呂ブーツを整理できる。
お風呂に入る時にお風呂ブーツが整理されていて気持ちよくお風呂に入れる。
【符号の説明】
【０００９】  １  ケース
２  背面
３  前面
４  吸盤取り付用穴
５  開口部
６  吸盤
７  壁
【図１】
2011030992.tif 000003
【図２】
2011030992.tif 000004
(57)【要約】【課題】照明用笠内面部への反射材の取付けをコスト的に有利に行うことができる照明用笠内面部への反射材の取付け構造を提供する。【解決手段】ホルダー１に垂下状態に取り付けられた電球３の基端くびれ部３ｂの外周部に、取付け用リング５が抱持状態に取り付けられ、反射材４が、該リング５に取り付けられることで照明用笠２の内面部に保持されている。【選択図】      図１
2011108606.tif 000002
【特許請求の範囲】
【請求項１】
ホルダーに垂下状態に取り付けられた電球の基端くびれ部の外周部に、取付け用リングが抱持状態に取り付けられ、反射材が、該リングに取り付けられることで照明用笠の内面部に保持されていることを特徴とする、照明用笠内面部への反射材の取付け構造。
【発明の詳細な説明】
【技術分野】
【０００１】
本発明は、照明用笠内面部への反射材の取付け構造に関する。
【背景技術】
【０００２】
高天井照明器具等において、照明用笠の内面部に反射材を設けることは、従来より行われている。
【先行技術文献】
【特許文献】
【０００３】
【特許文献１】特開２００５−３４６９６８号公報
【発明の概要】
【発明が解決しようとする課題】
【０００４】
しかしながら、既設の照明器具の笠の内面部に、後付けで、反射材を設けることは、笠と電球ホルダーの取付け形状が照明器具ごとに異なっているために、一品設計をしなければならず、コストが高くついてしまうという問題がある。
【０００５】
本発明は、上記のような問題点に鑑み、照明用笠内面部への反射材の取付けをコスト的に有利に行うことができる照明用笠内面部への反射材の取付け構造を提供することを課題とする。
【課題を解決するための手段】
【０００６】
上記の課題は、ホルダーに垂下状態に取り付けられた電球の基端くびれ部の外周部に、取付け用リングが抱持状態に取り付けられ、反射材が、該リングに取り付けられることで照明用笠の内面部に保持されていることを特徴とする、照明用笠内面部への反射材の取付け構造によって解決される。
【０００７】
この構造では、照明器具間で同じものが用いられやすい電球に着目し、電球ホルダーに垂下状態に取り付けられた電球の基端くびれ部の外周部に、取付け用リングが抱持状態に取り付けられ、反射材が、該リングに取り付けられることで照明用笠の内面部に保持されているので、電球の共通する照明器具間では、同じ取付け用リングを用いて反射材の取付けを行うことができて、反射材の取付けを笠と電球ホルダーの取付け形状に依存させないですませることができ、照明用笠内面部への反射材の取付けをコスト的に有利に行うことができる。
【０００８】
しかも、電球の基端くびれ部を取付け用リングの取付け部分としているので、リングが電球から外れにくく、安定した取付け状態を確保することができる。
【０００９】
のみならず、光源となる電球と反射材との相対位置関係を一定にすることができて、笠の形状が相違する照明器具間においても、同じ配光を得ることができる。
【発明の効果】
【００１０】
本発明の、照明用笠内面部への反射材の取付け構造は、以上のとおりのものであるから、照明用笠内面部への反射材の取付けをコスト的に有利に行うことができる。しかも、光源となる電球と反射材との相対位置関係を一定にすることができて、笠の形状が相違する照明器具間においても、同じ配光を得ることができる。
【図面の簡単な説明】
【００１１】
【図１】実施形態の取付け構造を示すもので、図（イ）は照明器具の取付け状態を示す全体正面図、図（ロ）は取付け用リングの斜視図、図（ハ）は電球の正面図、図（ニ）は反射材をリングを用いて電球の基端くびれ部に取り付けた状態を示す一部断面正面図である。
【図２】図（イ）〜図（ニ）は電球の基端くびれ部への反射材の取付け方法を示す正面図、側面図である。
【発明を実施するための形態】
【００１２】
次に、本発明の実施形態を図面に基づいて説明する。
【００１３】
図１及び図２に示す実施形態の構造において、１は電球ホルダー、２は照明用笠、３は電球、４は反射材、５は取付け用リングである。
【００１４】
反射材４は、図１（ニ）に示すように、その内面反射面が、周方向において多角形からなると共に、基端側から先端側に向けて３段以上に角度を異ならせて開いていく多面体構造をしたものからなっていて、基端部には、電球３の基端ねじ込み部３ａを通すことのできる通孔４ａが明けられている。
【００１５】
取付け用リング５は、アルミニウム等の金属板の成形品からなっていて、非ループ状をしており、図１（ロ）に示すように、周方向の両端部には外方張り出し状の連結板部５ａ，５ａが設けられ、図２（イ）に示すように、電球３の基端側をリング５内に通した状態にし、図２（ロ）〜（ニ）に示すように、両連結板部５ａ，５ａをボルト等の締付け具６で締め合わせることにより、リング５は、縮径して、電球３の基端くびれ部３ｂの外周部に固定することができるようになされている。なお、リング５に放熱用の孔を設けておくのもよい。
【００１６】
また、取付け用リング５には、図１（ロ）に示すように、反射材４を取り付ける外方張り出し状の取付け板部５ｂ，５ｂが設けられ、この取付け板部５ｂ，５ｂを、図２（ハ）に示すように、反射材４の基端通孔４ａを囲む周縁部にリベットやボルト７、接着剤などで取り付けることにより、反射材４を電球３の基端くびれ部３ｂに取り付けることができるようになされている。
【００１７】
そして、電球３をホルダー１に取り付ける前の段階で、取付け用リング５を電球３の基端部から基端くびれ部３ｂの外周部に配置すると共に、電球の基端ねじ込み部３ａを反射材４の通孔４ａに通した状態にし、その状態で、電球３の基端ねじ込み部３ａを電球ホルダー１に螺合して取り付ける。この螺合取付けと相前後して、リング５の締付けと、取付け板部５ｂへの反射材４の取付けを行う。こうすることにより、反射材４を照明用笠２の内面部に保持させた取付け状態を形成することができる。
【００１８】
このように、上記の構造では、照明器具間で同じものが用いられやすい電球３に着目し、電球ホルダー１に垂下状態に取り付けられた電球３の基端くびれ部３ｂの外周部に、取付け用リング５が取り付けられ、反射材４が、該リング５に取り付けられることで照明用笠２の内面部に保持されるようになされたものであるから、電球の共通する照明器具間では、同じ取付け用リング５を用いて反射材４の取付けを行うことができて、反射材４の取付けを笠２と電球ホルダー１の取付け形状に依存させないですませることができ、照明用笠２内面部への反射材の取付けをコスト的に有利に行うことができる。
【００１９】
しかも、電球３の基端くびれ部３ｂを取付け用リング５の取付け部分としているので、リング５が電球３から外れにくく、安定した取付け状態を確保することができ、また、光源となる電球３と反射材４との相対位置関係を一定にすることができて、笠２の形状が相違する照明器具間においても、同じ配光を得ることができる。
【符号の説明】
【００２０】
１…ホルダー
２…照明用笠
３…電球
３ｂ…基端くびれ部
４…反射材
５…取付け用リング
【図１】
2011108606.tif 000003
【図２】
2011108606.tif 000004
(57)【要約】【課題】  ＬＥＤを光源とする道路灯は水銀灯に比較して光束が十分でなく、光の広がりも少なく、器具の直下のみ明るいだけで、せいぜい街路灯程度しか使用されていなかった。【解決手段】  チップ状のＬＥＤを等間隔に複数個配置し、この複数個のＬＥＤ上に密接して、半円状または丸状のロッドレンズを設置し、その上部にロッドレンズの長さ方向と概直角に複数の筋状レンズを有したカバーをすることにより、高照度で広範囲の光が得られる。結果として、ＬＥＤには大電流を流さなくても必要な照度が得られ、ＬＥＤの発熱も抑えられるため、ＬＥＤの放熱フィンが小型化でき、また、ＬＥＤの数量も増やすことが無いため、安価な光源装置となる。【選択図】図１
2011108610.tif 000002
【特許請求の範囲】
【請求項１】
チップ状のＬＥＤを等間隔ピッチで直線状に複数個配置したＬＥＤモジュール上に密接して半円状のロッドレンズまたは丸状のロッドレンズを設置し、その上に前記ロッドレンズと概直角方向に複数の筋状レンズを備えたカバーを取り付けてなる光源装置。
【請求項２】
前記ＬＥＤモジュールを複数個上下左右平行に配置した請求項１記載の光源装置。
【発明の詳細な説明】
【技術分野】
【０００１】  本発明は、チップ状ＬＥＤと集光レンズを組み合わせて効果的な照明を得る高輝度光源装置に関するものである。
【背景技術】
【０００２】  従来、道路灯の光源として水銀灯などが主流であったが、近年高輝度のＬＥＤが開発され、長寿命、省電力などの利点から水銀灯に代わってＬＥＤが光源として採用されるようになってきた。【０００３】  ＬＥＤを光源とする道路灯は水銀灯に比較して光束が十分でなく、光の広がりも少なく、器具の直下のみ明るいだけで、せいぜい街路灯程度しか使用されていなかった。
【発明の開示】
【発明が解決しようとする課題】
【０００４】  しかし、このような器具では道路灯として十分な照度が得られず、また光の広がりも少ないため道路灯としては採用が困難である。もちろんＬＥＤの数量を増やし、ＬＥＤに大電流を流せば照度は向上するが、発熱対策に価格が掛かったり、省電力にならない欠点がある。
【課題を解決するための手段】
【０００５】  前記問題点を解決するため、本発明はチップ状のＬＥＤを等間隔に複数個配置し、この複数個のＬＥＤ上に密接して、半円状または丸状のロッドレンズを設置し、その上部にロッドレンズの長さ方向と概直角に複数の筋状レンズを有したカバーをすることにより、光の広がりを大きくし、かつＬＥＤ素子の数量を増やしたり、大電流を流すことなく大きな照度を得られるようにした。
【発明の効果】
【０００６】  本発明によれば、チップ状のＬＥＤを等間隔に複数個配置し、この複数個のＬＥＤ上に密接して、半円状または丸状のロッドレンズを設置し、その上部にロッドレンズの長さ方向と概直角に複数の筋状レンズを有したカバーをすることにより、高照度で広範囲の光が得られる。結果として、ＬＥＤには大電流を流さなくても必要な照度が得られ、ＬＥＤの発熱も抑えられるため、ＬＥＤの放熱フィンが小型化でき、また、ＬＥＤの数量も増やすことが無いため、安価な光源装置となる。
【発明を実施するための最良の形態】
【０００７】  以下、図面に基づき本発明の実施の形態を説明する。【０００８】  図１は、本発明の実施例を示す光源装置である。
この光源装置は、器具本体１の内部に、複数個のチップ状のＬＥＤを等間隔に一列に配置したＬＥＤモジュール２の上に密接して半円状または丸状のロッドレンズ３を配置したものを設置し、このＬＥＤモジュール２に対して概直角に複数の筋状レンズを有したカバー４が取り付けられている。【０００９】  表１はロッドレンズ３の有り無し、ＬＥＤモジュール２と複数の筋状レンズを有したカバー４との取付角度の差による照度の測定結果である。
【表１】
2011108610.tif 000003
2011108610.tif 000004
【００１０】  以上の測定結果から、ロッドレンズ無しはロッドレンズ有りに比較して半分以下の照度で、またロッドレンズ有りでＬＥＤモジュールが、複数の筋状レンズを有したカバーと平行に取付けると光の広がりが無くなり、また照度も低くなる。本実施例ではＬＥＤモジュール２の上に密接して半円状または丸状のロッドレンズ３を配置し、その上にＬＥＤモジュール２と概直角に複数の筋状レンズを有したカバーを取り付けることで、広がりのある光と高照度が達成できる。なお、さらに高照度を得るにはＬＥＤモジュール２を複数個上下左右に取り付ければよい。
【図面の簡単な説明】
【００１１】
【図１】本発明の実施例を示す光源装置の平面図。
【符号の説明】
【００１２】  １・・・器具本体
２・・・ＬＥＤモジュール
３・・・ロッドレンズ
４・・・筋状レンズを有したカバー
【図１】
2011108610.tif 000005
(57)【要約】【課題】照明用笠内面部への反射材の取付けをコスト的に有利に行うことができる照明用笠内面部への反射材の取付け構造を提供する。【解決手段】反射材４に、電球ホルダー１と照明用笠２との連結部１ａ，２ｂ間に挟み込まれる挟込み部１４が備えられ、該挟込み部１４が、電球ホルダー１と照明用笠２との連結部１ａ，２ｂ間に挟み込まれることで、反射材４が照明用笠２の内面部に保持されている。【選択図】      図１
2011108608.tif 000002
【特許請求の範囲】
【請求項１】
反射材に、電球ホルダーと照明用笠との連結部間に挟み込まれる挟込み部が備えられ、該挟込み部が、電球ホルダーと照明用笠との連結部間に挟み込まれることで、反射材が照明用笠の内面部に保持されていることを特徴とする、照明用笠内面部への反射材の取付け構造。
【発明の詳細な説明】
【技術分野】
【０００１】
本発明は、照明用笠内面部への反射材の取付け構造に関する。
【背景技術】
【０００２】
高天井照明器具等において、照明用笠の内面部に反射材を設けることは、従来より行われている。
【先行技術文献】
【特許文献】
【０００３】
【特許文献１】特開２００５−３４６９６８号公報
【発明の概要】
【発明が解決しようとする課題】
【０００４】
しかしながら、既設の照明器具の笠の内面部に、後付けで、反射材を設けることは、笠と電球ホルダーの取付け形状が照明器具ごとに異なっているために、一品設計をしなければならず、コストが高くついてしまうという問題がある。
【０００５】
本発明は、上記のような問題点に鑑み、照明用笠内面部への反射材の取付けをコスト的に有利に行うことができる照明用笠内面部への反射材の取付け構造を提供することを課題とする。
【課題を解決するための手段】
【０００６】
上記の課題は、反射材に、電球ホルダーと照明用笠との連結部間に挟み込まれる挟込み部が備えられ、該挟込み部が、電球ホルダーと照明用笠との連結部間に挟み込まれることで、反射材が照明用笠の内面部に保持されていることを特徴とする、照明用笠内面部への反射材の取付け構造によって解決される。
【０００７】
この構造では、電球ホルダーと照明用笠との連結部間に挟込み部が挟み込まれることで、反射材が照明用笠の内面部に保持される構造となっており、照明器具間で、照明用笠と電球ホルダーの取付け形状が異なっていても、挟込み部の挟込み代を異ならせることで、反射材を取り付けることができ、それにより、取付けの汎用性を高めることができて、反射材の取付けを笠と電球ホルダーの取付け形状に大きく依存させないですませることができ、照明用笠内面部への反射材の取付けをコスト的に有利に行うことができる。
【発明の効果】
【０００８】
本発明の、照明用笠内面部への反射材の取付け構造は、以上のとおりのものであるから、照明用笠内面部への反射材の取付けをコスト的に有利に行うことができる。
【図面の簡単な説明】
【０００９】
【図１】実施形態の取付け構造を示すもので、図（イ）は照明器具の取付け状態を示す全体正面図、図（ロ）は反射材の平面図、図（ハ）は反射材の取付け構造を示す拡大断面図、図（ニ）は反射材の取付け方法を示す分解断面図である。
【発明を実施するための形態】
【００１０】
次に、本発明の実施形態を図面に基づいて説明する。
【００１１】
図１に示す実施形態の構造において、１は電球ホルダー、２は照明用笠、３は電球、４は反射材である。
【００１２】
反射材４は、図１（ロ）に示すように、その内面反射面が、周方向において多角形からなると共に、基端側から先端側に向けて３段以上に角度を異ならせて開いていく多面体構造をしたものからなっていて、基端部には、電球３の基端ねじ込み部３ａを通すことのできる通孔４ａが明けられていると共に、該通孔４ａを囲む周縁部の周方向の１箇所又は複数箇所には、図１（ロ）（ニ）に示すように、立ち上がり部１３が設けられると共に、各立ち上がり部の上端から外方に張り出す挟込み部１４が設けられている。
【００１３】
そして、反射材４の各挟込み部１４は、図１（ニ）に示すように、電球ホルダー１と照明用笠２とを連結する前の段階で、ホルダー１と照明用笠２との連結部１ａ，２ｂ間に配置され、その配置状態において、電球ホルダー１と照明用笠２とをボルトやビス１５で連結することで、反射材４の挟込み部１４を電球ホルダー１と照明用笠２との連結部１ａ，２ｂ間に挟み込み、この挟込みによって、反射材４が照明用笠２の内面部に保持された取付け状態となるようになされている。
【００１４】
電球ホルダー１と照明用笠２とを連結するボルトやビス１５、その図示しない通孔は、電球ホルダー１と照明用笠２とを連結するために備えられている既設のものをそのまま流用するのもよく、その場合は、反射材４の挟込み部１４を挟み込むための通孔を電球ホルダー１や照明用笠２にわざわざ設ける必要がなくなり、施工を容易にすることができる。
【００１５】
また、反射材４の各挟込み部１４をホルダー１と照明用笠２との連結部１ａ，２ｂ間に配置する方法に特段の制限はないが、例えば、反射材４の中心部を挟む一方の側の挟込み部をホルダー１と照明用笠２との連結部１ａ，２ｂ間に配置した後、反射材４の中心部を挟むもう一方の側の挟込み部をホルダー１と照明用笠２との連結部１ａ，２ｂ間に配置するというようにして配置するのもよいし、周方向の切欠きを利用して回転変位させることによって反射材４の各挟込み部１４をホルダー１と照明用笠２との連結部１ａ，２ｂ間に配置するというになされていてもよい。
【００１６】
なお、反射材４の挟込み部１４が、ホルダー１と照明用笠２との連結部１ａ，２ｂを連結するボルトやビス１５と干渉する場合には、反射材４の挟込み部１４にボルトやビス１５を通す通孔を設けるようにすればよい。
【００１７】
この構造では、電球ホルダー１と照明用笠２との連結部１ａ，２ｂ間に挟込み部１４が挟み込まれることで、反射材４が照明用笠２の内面部に保持される構造となっており、照明器具間で、照明用笠２と電球ホルダー１の取付け形状が異なっていても、挟込み部１４の挟込み代を異ならせることで、反射材４を取り付けることができ、それにより、取付けの汎用性を高めることができて、反射材４の取付けを笠２と電球ホルダー１の取付け形状に大きく依存させないですませることができ、照明用笠２内面部への反射材４の取付けをコスト的に有利に行うことができる。
【符号の説明】
【００１８】
１…ホルダー
１ａ，２ｂ…連結部
２…照明用笠
３…電球
４…反射材
１４…挟込み部
１５…ビス（連結部材）
【図１】
2011108608.tif 000003
(57)【要約】      （修正有）【課題】警察官、警備員の装備を軽量化すると共に、遠距離からの不明瞭な物体を明瞭に識別可能となる警棒を提供する。【解決手段】ＬＥＤ照明灯型警棒筐体７の先端にＬＥＤチップ４を装着し、手で持つ部分の内部にＬＥＤチップ４を動作させるリチューム電池１を装着させて、懐中電灯と警棒を兼務させる。ＬＥＤチップは鋭い指向性照明を発する。したがって懐中電灯の照度では判別できない被物体でも詳細に識別可能になる。さらに軽装になることにより追跡も可能となる。【選択図】図１
2011108611.tif 000002
【特許請求の範囲】
【請求項１】
警棒の中に照明灯を装着されていること
【請求項２】
警棒の中の照明部品にＬＥＤチップを使用すること
【発明の詳細な説明】
【技術分野】
【０００１】本発明はＬＥＤの特性を生かし、警棒の先端にＬＥＤを装着し、被疑者及び被物体を照射する。
【背景技術】
【０００２】近年、複雑怪奇な物体及び凶悪犯罪が横行している。しかしながら、これらを識別するのに従来型の懐中電灯式照明灯を使用して被疑者及び被物体の判別に供与している。しかも、警察官の場合は被疑者追跡ともなれば警棒の他に、懐中電灯、拳銃などを保持しながら走っての追跡になる。当然ながら、遅くなる。また懐中電灯方式ですと被物体への識別が漠然となっている。他方ＬＥＤ照明はＬＥＤチップの照射角が狭いので鋭い指向性を生み出す。そのため被物体を明確に識別することが可能である。本発明は警棒に照明灯を付与することによる省力化さらに軽量化され、被物体を正確に識別する目的としてＬＥＤを付与した警棒を開発目的としている。
【発明の開示】
【発明を解決しようとする課題】
【０００３】従来、警察官は拳銃、警棒、懐中電灯を持って走って被疑者を追跡している。そのとき警察官が走っている時、拳銃、警棒、懐中電灯を手で支えなければならない。当然ながら逃亡者の足が速いため追跡不能になる。また懐中電灯の照度では被疑者及び被物体を正確に判別できない問題がある。さらに至近距離での識別は危険を伴う。
【問題を解決するための手段】
【０００４】本発明は図１の警棒の先端に１個のＬＥＤチップを装着する。図１の手で持つ部分の内部にＬＥＤチップを動作させるリチューム電池を装着させる。
ＬＥＤチップは鋭い指向性照明を発する。したがって懐中電灯の照度では判別できない被物体でも詳細に識別可能になる。さらに軽装になることにより追跡も可能になる。
【発明の効果】
【０００５】本発明に係わるＬＥＤ照明灯型警棒は懐中電灯に代わって警棒にＬＥＤ照明灯が付与しているため装備が軽装になり、警察官の動作機敏効果を生む。他方、懐中電灯の照度では不明瞭な物体についてはＬＥＤ照明灯型警棒の鋭い指向性照明によって被物体が鮮明に識別可能となる。
【発明を実施するための最良の形態】
【０００６】図１は本発明の一実施形態を示すＬＥＤ照明灯型警棒投影図である。
【産業上の利用可能】
【０００７】警察官、警備員
【図面の簡単な説明】
【０００８】
【図１】ＬＥＤ照明灯型警棒本体投影図。
【符号の説明】１リチューム電池
２ＯＮ−ＯＦＦスイッチ
３プラス側電線
４ＬＥＤチップ
５ポリカーボネイト樹脂レンズ
６マイナス側電線
７ＬＥＤ照明灯型警棒匡体。
【図１】
2011108611.tif 000003
(57)【要約】【課題】生産情報システムと電子商取引システムは、従来それぞれ別のシステムとして構成されていて、導入費用と維持費用が高かった。【解決手段】電子商取引と生産情報を同一システムで実現する。生産者が生産情報を登録する手間を削減し導入費用と維持費用のコストを抑える。消費者は注文前に商品の生産情報を知ることができる。【選択図】図１
2011108210.tif 000002
【特許請求の範囲】
【請求項１】
生産情報管理機能を備えたことを特徴とする電子商取引システム。
【請求項２】
消費者が購入前にトレーサビリティを閲覧すること可能としたことを特徴とする請求項１記載の電子商取引システム。
【発明の詳細な説明】
【技術分野】
【０００１】  本発明は、食品の生産情報管理機能を備えた電子商取引システムで、特にインターネットや電話網などの通信網を利用し、食品の生産情報を管理する生産情報管理機能および電子商取引システムに好適なものである。
【背景技術】
【０００２】  従来における食品製造会社における製造履歴システムとして、生産者から消費者に渡るまでの生産から加工に関するトレーサビリティを消費者が閲覧できるようにしたものがある。
【先行技術文献】
【特許文献】
【０００３】
【特許文献１】特開２００４−７８７４３
【０００４】
【特許文献２】特開２００５−３８０３２
【発明の概要】
【発明が解決しようとする課題】
【０００５】  しかしながら、以上の技術によれば、消費者は食品を購入した後にトレーサビリティを知ることになり、アレルギー体質などを持っている消費者の場合、閲覧したトレーサビリティの内容によっては、購入した食品を消費することができない。特に電子商取引において、生産者側は生産情報管理システムと電子商取引システムの二つのシステムを用意することが必要となる。【０００６】  そこで、本発明は、食品の電子商取引において消費者が購入前にトレーサビリティを知ることで安心して購入でき、かつ、生産者がシステムの導入コスト及び維持コストを抑えた生産情報管理機能を備えた電子商取引システムを提供する手段である。
【課題を解決するための手段】
【０００７】  以上の課題を解決するために、生産情報管理機能を備えた電子商取引システムは、サイト運営者が運営する運営サイトサーバに、インターネットや電話網などの通信網を介して、生産者が所有する生産者端末と、加工業者が所有する加工業者端末と、消費者が所有する消費者端末とが接続されることによって構成される。
前記生産者端末は、前記生産者が生産した食品又は食品の原材料に関して入力された生産情報を前記運営サイトサーバに送信する手段を有し、前記加工業者端末は前記加工業者が前記食品の原材料を加工した加工食品に関して入力された加工情報を前記運営サイトサーバに送信する手段を有し、前記運営サイトサーバは、前記生産者端末から送信された前記生産情報、前記加工業者端末から送信された前記加工情報を記憶する手段と、前記生産情報と前記加工情報を含む食品トレーサビリティ情報を生成する手段と、前記消費者との電子商取引を行う手段を有する。前記消費者端末は、前記運営サイトサーバと前記電子商取引を成立する前に前記食品トレーサビリティ情報を閲覧する手段を有する。
本発明の生産情報管理機能を備えた電子商取引システムは、前記消費者端末が、前記運営サイトサーバと前記電子商取引を成立する前に前記食品トレーサビリティ情報を閲覧する手段を有する構成にしたことにある。
【発明の効果】
【０００８】  本発明によれば、消費者が電子商取引を行う際、食品の生産から加工を経て消費者に届くまでのトレーサビリティを注文する前に閲覧でき、食品を安心して購入できる生産情報管理機能を備えた電子商取引システムを提供することができる。
【図面の簡単な説明】
【０００９】
【図１】この発明の一実施形態を示す構成図である。
【発明を実施するための形態】
【００１０】  この発明の一実施形態を、図１に示す。
生産者２は食品や食品の原材料を生産、販売する。生産者２は生産者端末３で運営サイトサーバ１へ接続し、生産情報４を登録する。生産情報４は運営サイトサーバ上に保存される。
加工業者５は生産者２が製造した食品の原材料を加工して販売する。加工業者５は加工業者端末６で運営サイトサーバ１へ接続し、加工情報７を登録する。加工情報７は運営サイトサーバ上に保存される。
運営サイトサーバ１は、保存された生産情報４と加工情報７を含むトレーサビリティ情報８を生成する。運営サイトサーバ１は、電子商取引機能９にて販売する食品のひとつ情報として、トレーサビリティ情報８を公開する。
消費者１０は電子商取引機能９で購入した食品を消費する。消費者１０は消費者端末１１で運営サイトサーバ１へ接続し、電子商取引機能９で食品を購入する。消費者１０は、電子商取引機能９で購入する食品を決定する前にトレーサビリティ情報８を閲覧し安全性を確認した後、食品を注文することができる。
【００１１】「実施形態の効果」
この実施形態によれば、生産者２は生産情報４の登録が行え、加工業者２は加工情報５の登録が行え、トレーサビリティ情報８の公開を電子商取引機能９と一つの運営サイトサーバ１上で行えるため、導入費用と維持費用を抑えることが出来る。
また、消費者１０は食品を注文する前に、トレーサビリティ情報８を確認することができるため、安心・安全な商品を購入できる。
「他の実施形態」
生産者２は、商品を生産する者ではなく、輸入業者や仕入業者でもよい。
加工業者５は、商品を加工する者ではなく、輸入業者や仕入業者でもよい。
消費者１０は、商品を消費するものではなく、輸出業者や卸売業者でもよい。
【符号の説明】
【００１２】１  運営サイトサーバ      ２  生産者                  ３  生産者端末
４  生産情報              ５  加工業者                ６  加工業者端末
７  加工情報              ８  トレーサビリティ情報    ９  電子商取引機能
１０  消費者              １１  消費者端末
【図１】
2011108210.tif 000003
(57)【要約】【課題】  本発明は、ＬＡＮによる複数の接続が可能な端末情報表示機器によって、紙をなくして資料などを見ることを目的としている。【解決手段】  本発明は、ＬＡＮによる複数の接続が可能な端末情報表示機器として、標示する情報は、記憶媒体に保存することが必要であり、そのためのデータ入力機能、データ出力機能、複数個の資料がある場合は、資料選択の機能、次頁を表示する機能、前頁を表示する機能、１つの端末情報表示機器を親機として、親機が、頁を変えるとＬＡＮですべての端末情報表示機器の頁を変える機能などが必要となる。【特許請求の範囲】
【請求項１】
ＬＡＮによる複数の接続が可能な情報表示機能のみに限定した端末情報表示機器。
【発明の詳細な説明】
【発明の詳細な説明】
【発明に属する技術分野】
【０００１】  本発明は、ＬＡＮによる複数の接続が可能な端末情報表示機器に関する。
【背景技術】
【０００２】  オーケストラなどの音楽コンサートやリハーサルにおいては、楽譜は、紙のものを使用し、曲の演奏が終了するまで、演奏者が必要な時に、自分で頁をめくらなければならなかった。
カラオケなど、楽曲を歌う場合は、表示されたモニターのみを見なければならなかった。
また、会議では、紙で資料を見る場合が多いのが事実である。学校や塾の講師の資料も紙が多いのが事実である。
【発明が解決しようとする課題】
【０００３】  音楽コンサートやリハーサルで楽器演奏者が、自分で楽譜の頁をめくる必要をなくす事によって、演奏に集中させることを目的にしている。
カラオケなど、楽曲を歌う場合は、表示されたモニターだけでなく手元に小型の端末情報表示機器を持つか置いて、小型の標示機器でも見れるようにする。コンサートやリハーサルなどで、複数曲歌う場合は、歌詞をいつでも見れるようにする。会議では、資料を端末情報表示機器で見れるようにする。学校や塾の講師の資料も端末情報表示機器で見れるようにする。
【課題を解決するための手段】
【０００４】  このため、本発明は、ＬＡＮによる複数の接続が可能な端末情報表示機器として、標示する情報は、記憶媒体に保存することが必要であり、そのためのデータ入力機能、データ出力機能、複数個の資料がある場合は、資料選択の機能、次頁を表示する機能、前頁を表示する機能、１つの端末情報表示機器を親機として、親機が、頁を変えるとＬＡＮですべての端末情報表示機器の頁を変える機能などが必要となる。
【発明を実施するための形態】
【０００５】  発明の実施の形態を理論上の実施例にもとづき説明する。
【０００６】  オーケストラなどの音楽コンサートやリハーサルにおいては、指揮者が、端末情報表示機器の親機としてＬＡＮ接続し、楽器演奏者はＬＡＮ接続された端末情報表示機器に標示された楽譜を見ながら演奏する。指揮者は端末情報表示機器に標示された楽譜を見ながら指揮をして、楽譜の頁を変える場合はボタンを押して頁を変えると、楽器演奏者の標示された楽譜は、自動的に頁を変える事が可能にする。
【０００７】  カラオケなど、楽曲を歌う場合は、表示されたモニターだけでなく手元に小型の端末情報表示機器を手に持つか置いて、小型の標示機器でもモニターと同じ内容の画面に表示された歌詞を見れるようにする。
【０００８】  コンサートやリハーサルなどで、歌手が複数曲歌う場合は、小型の標示機器で、歌のプログラムの順番を設定しておけば、そのプログラムの曲の歌詞をいつでも見れるようにする。
【０００９】  会議では、資料を端末情報表示機器で見れるようにする。
端末情報表示機器を単体で使うことも可能であり、ＬＡＮ接続すれば、会議出席者全員の端末情報表示機器に、すべて、同じ資料を見る事が可能なようにする。
【００１０】  学校や塾の講師の資料も単体で使う時でも、ＬＡＮ接続した時でも端末情報表示機器で資料を見れるようにする。
【００１１】  その他、さまざまな場所で、必要に応じて、端末情報表示機器によって資料を見ることができる。